(57)【要約】  移動通信システムは、サービングセルからの希望波信号を受信するとともに、前記サービングセルに隣接する隣接セルからの干渉波信号を受信するユーザ端末と、前記サービングセルを管理する基地局と、を有する。前記基地局は、前記干渉波信号に対応する干渉レプリカ信号を生成し、前記干渉レプリカ信号を前記希望波信号に重畳する制御部と、前記干渉レプリカ信号が重畳された前記希望波信号を前記ユーザ端末に送信する送信部と、を含む。前記制御部は、前記ユーザ端末の位置において前記干渉レプリカ信号が前記干渉波信号を打ち消すように、前記干渉レプリカ信号を生成する。前記干渉レプリカ信号は、前記ユーザ端末の位置以外の位置においては、前記希望波信号の復調を妨害する妨害信号として機能する。
2014097766.tif 000002
【特許請求の範囲】
【請求項１】
サービングセルからの希望波信号を受信するとともに、前記サービングセルに隣接する隣接セルからの干渉波信号を受信するユーザ端末と、
前記サービングセルを管理する基地局と、を有し、
前記基地局は、
前記干渉波信号に対応する干渉レプリカ信号を生成し、前記干渉レプリカ信号を前記希望波信号に重畳する制御部と、
前記干渉レプリカ信号が重畳された前記希望波信号を前記ユーザ端末に送信する送信部と、を含み、
前記制御部は、前記ユーザ端末の位置において前記干渉レプリカ信号が前記干渉波信号を打ち消すように、前記干渉レプリカ信号を生成しており、
前記干渉レプリカ信号は、前記ユーザ端末の位置以外の位置においては、前記希望波信号の復調を妨害する妨害信号として機能することを特徴とする移動通信システム。
【請求項２】
前記隣接セルは、前記基地局とは異なる他基地局によって管理されており、
前記制御部は、前記ユーザ端末の位置に関する位置情報を前記他基地局に通知し、
前記他基地局は、前記位置情報に基づいて、前記ユーザ端末の位置における前記干渉波信号の受信電力を上昇させ、
前記制御部は、前記干渉波信号の受信電力の上昇に応じて、前記干渉レプリカ信号の送信電力を上昇させることを特徴とする請求項１に記載の移動通信システム。
【請求項３】
前記制御部は、前記ユーザ端末の通信に要求されるＱｏＳに基づいて、前記干渉レプリカ信号を前記希望波信号に重畳する重畳送信を行うか否かを判定することを特徴とする請求項１に記載の移動通信システム。
【請求項４】
前記制御部は、前記ユーザ端末の通信に要求されるセキュリティレベルに基づいて、前記干渉レプリカ信号を前記希望波信号に重畳する重畳送信を行うか否かを判定することを特徴とする請求項１に記載の移動通信システム。
【請求項５】
サービングセルを管理する基地局と、前記サービングセルからの希望波信号を受信するとともに、前記サービングセルに隣接する隣接セルからの干渉波信号を受信するユーザ端末と、を有する移動通信システムにおいて用いられる通信制御方法であって、
前記基地局において、
前記干渉波信号に対応する干渉レプリカ信号を生成するステップＡと、
前記干渉レプリカ信号を前記希望波信号に重畳するステップＢと、
前記干渉レプリカ信号が重畳された前記希望波信号を前記ユーザ端末に送信するステップＣと、を含み、
前記ステップＡにおいて、前記ユーザ端末の位置において前記干渉レプリカ信号が前記干渉波信号を打ち消すように、前記干渉レプリカ信号を生成し、
前記干渉レプリカ信号は、前記ユーザ端末の位置以外の位置においては、前記希望波信号の復調を妨害する妨害信号として機能することを特徴とする通信制御方法。
【請求項６】
サービングセルからの希望波信号を受信するとともに、前記サービングセルに隣接する隣接セルからの干渉波信号を受信するユーザ端末を有する移動通信システムにおいて、前記サービングセルを管理する基地局であって、
前記干渉波信号に対応する干渉レプリカ信号を生成し、前記干渉レプリカ信号を前記希望波信号に重畳する制御部と、
前記干渉レプリカ信号が重畳された前記希望波信号を前記ユーザ端末に送信する送信部と、を含み、
前記制御部は、前記ユーザ端末の位置において前記干渉レプリカ信号が前記干渉波信号を打ち消すように、前記干渉レプリカ信号を生成しており、
前記干渉レプリカ信号は、前記ユーザ端末の位置以外の位置においては、前記希望波信号の復調を妨害する妨害信号として機能することを特徴とする基地局。
【請求項７】
サービングセルからの希望波信号及び参照信号を受信するとともに、前記サービングセルに隣接する隣接セルからの干渉波信号を受信するユーザ端末を有する移動通信システムにおいて、前記サービングセルを管理する基地局であって、
前記希望波信号と前記参照信号との間の送信電力差に関する電力差情報を前記ユーザ端末に通知する制御部を含み、
前記制御部は、前記ユーザ端末が受信する前記干渉波信号を打ち消すように、前記干渉波信号に対応する干渉レプリカ信号を前記希望波信号に重畳する場合において、前記電力差情報を前記ユーザ端末に通知することを特徴とする基地局。
【請求項８】
前記電力差情報は、前記送信電力差を示す値又は前記送信電力差が存在することを示すフラグであることを特徴とする請求項７に記載の基地局。
【請求項９】
サービングセルからの希望波信号及び参照信号を受信するとともに、前記サービングセルに隣接する隣接セルからの干渉波信号を受信するユーザ端末であって、
前記参照信号に基づいて、前記希望波信号を復調する制御部を含み、
前記希望波信号には、前記干渉波信号を打ち消すための干渉レプリカ信号が重畳されており、
前記制御部は、前記希望波信号と前記参照信号との間の送信電力差に関する電力差情報を前記サービングセルから受信した場合に、前記電力差情報に基づいて前記希望波信号の復調を制御することを特徴とするユーザ端末。
【請求項１０】
前記電力差情報は、前記送信電力差を示す値又は前記送信電力差が存在することを示すフラグであることを特徴とする請求項９に記載のユーザ端末。
【請求項１１】
サービングセルからの希望波信号及び参照信号を受信するとともに、前記サービングセルに隣接する隣接セルからの干渉波信号を受信するユーザ端末を有する移動通信システムにおいて用いられる通信制御方法であって、
前記サービングセルを管理する基地局が、前記希望波信号と前記参照信号との間の送信電力差に関する電力差情報を前記ユーザ端末に通知する通知ステップを含み、
前記通知ステップにおいて、前記基地局は、前記ユーザ端末が受信する前記干渉波信号を打ち消すように、前記干渉波信号に対応する干渉レプリカ信号を前記希望波信号に重畳する場合において、前記電力差情報を前記ユーザ端末に通知することを特徴とする通信制御方法。
【請求項１２】
サービングセルからの希望波信号及び参照信号を受信するとともに、前記サービングセルに隣接する隣接セルからの干渉波信号を受信するユーザ端末を有する移動通信システムにおいて用いられる通信制御方法であって、
前記参照信号は、前記希望波信号の復調に使用される信号であり、
前記希望波信号には、前記干渉波信号を打ち消すための干渉レプリカ信号が重畳されており、
前記ユーザ端末が、前記希望波信号と前記参照信号との間の送信電力差に関する電力差情報を前記サービングセルから受信した場合に、前記電力差情報に基づいて前記希望波信号の復調を制御するステップを含むことを特徴とする通信制御方法。
【請求項１３】
サービングセルからの希望波信号を受信するとともに、前記サービングセルに隣接する隣接セルからの干渉波信号を受信するユーザ端末と、
前記隣接セルを管理する基地局と、を有し、
前記基地局は、
前記希望波信号に対応する希望波レプリカ信号を生成し、前記希望波レプリカ信号を前記干渉波信号に重畳する制御部と、
前記希望波レプリカ信号が重畳された前記干渉波信号を送信する送信部と、を含み、
前記制御部は、前記ユーザ端末が受信する前記希望波レプリカ信号が、前記ユーザ端末が受信する前記希望波信号と合成されるように、前記希望波レプリカ信号を生成することを特徴とする移動通信システム。
【請求項１４】
前記制御部は、前記希望波レプリカ信号の送信電力を、前記干渉波信号の送信電力よりも低く設定することを特徴とする請求項１３に記載の移動通信システム。
【請求項１５】
前記サービングセルは、前記基地局とは異なる他基地局によって管理されていることを特徴とする請求項１３に記載の移動通信システム。
【請求項１６】
前記他基地局は、前記干渉波信号に対応する干渉レプリカ信号を生成し、かつ、前記干渉レプリカ信号を前記希望波信号に重畳して送信しており、
前記他基地局は、前記ユーザ端末が受信する前記干渉レプリカ信号が、前記ユーザ端末が受信する前記干渉波信号を打ち消すように、前記干渉レプリカ信号を生成することを特徴とする請求項１５に記載の移動通信システム。
【請求項１７】
サービングセルからの希望波信号を受信するとともに、前記サービングセルに隣接する隣接セルからの干渉波信号を受信するユーザ端末と、前記隣接セルを管理する基地局と、を有する移動通信システムにおいて用いられる通信制御方法であって、
前記基地局において、
前記希望波信号に対応する希望波レプリカ信号を生成するステップＡと、
前記希望波レプリカ信号を前記干渉波信号に重畳するステップＢと、
前記希望波レプリカ信号が重畳された前記干渉波信号を送信するステップＣと、を含み、
前記ステップＡにおいて、前記ユーザ端末が受信する前記希望波レプリカ信号が、前記ユーザ端末が受信する前記希望波信号と合成されるように、前記希望波レプリカ信号を生成することを特徴とする通信制御方法。
【請求項１８】
サービングセルからの希望波信号を受信するとともに、前記サービングセルに隣接する隣接セルからの干渉波信号を受信するユーザ端末を有する移動通信システムにおいて、前記隣接セルを管理する基地局であって、
前記希望波信号に対応する希望波レプリカ信号を生成し、前記希望波レプリカ信号を前記干渉波信号に重畳する制御部と、
前記希望波レプリカ信号が重畳された前記干渉波信号を送信する送信部と、を含み、
前記制御部は、前記ユーザ端末が受信する前記希望波レプリカ信号が、前記ユーザ端末が受信する前記希望波信号と合成されるように、前記希望波レプリカ信号を生成することを特徴とする基地局。
【発明の詳細な説明】
【技術分野】
【０００１】
本発明は、ＣｏＭＰをサポートする移動通信システム、通信制御方法、基地局、及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１１以降において、ＣｏＭＰ（Ｃｏｏｒｄｉｎａｔｅｄ  Ｍｕｌｔｉ−Ｐｏｉｎｔ）の標準化が進められる予定である（非特許文献１参照）。ＣｏＭＰは、同一の場所にある送受信点（基地局又はセル）を１つの「ポイント」と位置付け、複数のポイントが協調してユーザ端末との通信を行う通信形態である。【０００３】
下りリンクのＣｏＭＰの方式としては、ＪＴ（Ｊｏｉｎｔ  Ｔｒａｎｓｍｉｓｓｉｏｎ）、ＤＰＳ（Ｄｙｎａｍｉｃ  Ｐｏｉｎｔ  Ｓｅｌｅｃｔｉｏｎ）、ＣＳ（Ｃｏｏｒｄｉｎａｔｅｄ  Ｓｃｈｅｄｕｌｉｎｇ）、ＣＢ（Ｃｏｏｒｄｉｎａｔｅｄ  Ｂｅａｍｆｏｒｍｉｎｇ）が提案されている。【０００４】
ＪＴ−ＣｏＭＰは、複数のポイントが、同一の無線リソースを使用して、ユーザ端末に対して一斉に送信を行う方式である。ＤＰＳ−ＣｏＭＰ及びＣＳ−ＣｏＭＰは、複数のポイントが、同一の無線リソースを確保して、ユーザ端末に対して選択的に送信を行う方式である。ＣＢ−ＣｏＭＰは、複数のポイントが、送信ビームのビームフォーミング／ヌルステアリングを協調して実施する方式である。
【先行技術文献】
【非特許文献】
【０００５】
【非特許文献１】３ＧＰＰ技術報告  「ＴＲ  ３６．８１９  Ｖ１１．１．０」  ２０１１年１２月
【発明の概要】
【０００６】
しかしながら、上述したＣｏＭＰの各方式には、以下のような問題がある。
【０００７】
ＪＴ−ＣｏＭＰ、ＤＰＳ−ＣｏＭＰ、及びＣＳ−ＣｏＭＰは、１つのユーザ端末に対して各ポイントで無線リソースが消費されるため、無線リソースの利用効率が低下する問題がある。
【０００８】
ＣＢ−ＣｏＭＰは、無線リソースの利用効率の低下を抑制できるものの、各ポイントが複数のアンテナを有している必要があり、各ポイントのコスト（機器コスト及び設置コスト）が高いという問題がある。
【０００９】
そこで、本発明は、上述した問題点を解消できる新たなＣｏＭＰの方式を実現する移動通信システム、通信制御方法、基地局、及びユーザ端末を提供する。
【００１０】
一実施形態に係る移動通信システムは、サービングセルからの希望波信号を受信するとともに、前記サービングセルに隣接する隣接セルからの干渉波信号を受信するユーザ端末と、前記サービングセルを管理する基地局と、を有する。前記基地局は、前記干渉波信号に対応する干渉レプリカ信号を生成し、前記干渉レプリカ信号を前記希望波信号に重畳する制御部と、前記干渉レプリカ信号が重畳された前記希望波信号を前記ユーザ端末に送信する送信部と、を含む。前記制御部は、前記ユーザ端末の位置において前記干渉レプリカ信号が前記干渉波信号を打ち消すように、前記干渉レプリカ信号を生成する。前記干渉レプリカ信号は、前記ユーザ端末の位置以外の位置においては、前記希望波信号の復調を妨害する妨害信号として機能する。
【００１１】
一実施形態に係る基地局は、サービングセルからの希望波信号及び参照信号を受信するとともに、前記サービングセルに隣接する隣接セルからの干渉波信号を受信するユーザ端末を有する移動通信システムにおいて、前記サービングセルを管理する。前記基地局は、前記希望波信号と前記参照信号との間の送信電力差に関する電力差情報を前記ユーザ端末に通知する制御部を含む。前記制御部は、前記ユーザ端末が受信する前記干渉波信号を打ち消すように、前記干渉波信号に対応する干渉レプリカ信号を前記希望波信号に重畳する場合において、前記電力差情報を前記ユーザ端末に通知する。
【００１２】
一実施形態に係るユーザ端末は、サービングセルからの希望波信号及び参照信号を受信するとともに、前記サービングセルに隣接する隣接セルからの干渉波信号を受信する。前記参照信号に基づいて、前記希望波信号を復調する制御部を含む。前記希望波信号には、前記干渉波信号を打ち消すための干渉レプリカ信号が重畳されている。前記制御部は、前記希望波信号と前記参照信号との間の送信電力差に関する電力差情報を前記サービングセルから受信した場合に、前記電力差情報に基づいて前記希望波信号の復調を制御する。
【００１３】
一実施形態に係る移動通信システムは、サービングセルからの希望波信号を受信するとともに、前記サービングセルに隣接する隣接セルからの干渉波信号を受信するユーザ端末と、前記隣接セルを管理する基地局と、を有する。前記基地局は、前記希望波信号に対応する希望波レプリカ信号を生成し、前記希望波レプリカ信号を前記干渉波信号に重畳する制御部と、前記希望波レプリカ信号が重畳された前記干渉波信号を送信する送信部と、を含む。前記制御部は、前記ユーザ端末が受信する前記希望波レプリカ信号が、前記ユーザ端末が受信する前記希望波信号と合成されるように、前記希望波レプリカ信号を生成する。
【図面の簡単な説明】
【００１４】
【図１】第１実施形態及び第２実施形態に係るＬＴＥシステムの構成図である。
【図２】第１実施形態及び第２実施形態に係るＵＥのブロック図である。
【図３】第１実施形態及び第２実施形態に係るｅＮＢのブロック図である。
【図４】ＬＴＥシステムにおける無線インターフェイスのプロトコルスタック図である。
【図５】ＬＴＥシステムで使用される無線フレームの構成図である。
【図６】下りリンクで使用される無線フレームの構成図である。
【図７】第１実施形態及び第２実施形態に係る協調型干渉キャンセル方式の概要を説明するための図である。
【図８】第１実施形態及び第２実施形態に係る協調型干渉キャンセル方式を実現するためのｅＮＢのブロック図である。
【図９】第１実施形態に係る動作パターン１のシーケンス図である。
【図１０】第１実施形態に係るチャネル情報２を取得するための動作例１のシーケンス図である。
【図１１】第１実施形態に係るチャネル情報２を取得するための動作例２のシーケンス図である。
【図１２】第１実施形態に係るチャネル情報２を取得するための動作例３のシーケンス図である。
【図１３】第１実施形態に係る動作パターン２のシーケンス図である。
【図１４】第１実施形態に係る動作パターン３のシーケンス図である。
【図１５】第１実施形態に係る動作パターン４のシーケンス図である。
【図１６】第１実施形態に係る動作パターン５のシーケンス図である。
【図１７】第１実施形態に係る動作パターン６のシーケンス図である。
【図１８】第１実施形態に係る動作パターン７のシーケンス図である。
【図１９】第１実施形態に係る動作パターン８のシーケンス図である。
【図２０】第２実施形態に係る動作を説明するための図である。
【図２１】第３実施形態に係る動作シーケンス図である。
【図２２】第４実施形態に係るシーケンス図である。
【図２３】第５実施形態に係る動作を説明するための図である。
【図２４】第５実施形態に係る動作シーケンス図である。
【発明を実施するための形態】
【００１５】
［実施形態の概要］
第１実施形態乃至第３実施形態に係る移動通信システムは、サービングセルからの希望波信号を受信するとともに、前記サービングセルに隣接する隣接セルからの干渉波信号を受信するユーザ端末と、前記サービングセルを管理する基地局と、を有する。前記基地局は、前記干渉波信号に対応する干渉レプリカ信号を生成し、前記干渉レプリカ信号を前記希望波信号に重畳する制御部と、前記干渉レプリカ信号が重畳された前記希望波信号を前記ユーザ端末に送信する送信部と、を含む。前記制御部は、前記ユーザ端末の位置において前記干渉レプリカ信号が前記干渉波信号を打ち消すように、前記干渉レプリカ信号を生成する。前記干渉レプリカ信号は、前記ユーザ端末の位置以外の位置においては、前記希望波信号の復調を妨害する妨害信号として機能する。
【００１６】
このような方式によれば、ユーザ端末における干渉波信号の受信電力を低下させることができるため、希望波対干渉波比（ＳＩＲ；Ｓｉｇｎａｌ−ｔｏ−Ｉｎｔｅｒｆｅｒｅｎｃｅ  Ｒａｔｉｏ）を改善できる。また、隣接セルにおいて当該ユーザ端末のために無線リソースを確保する必要がないため、ＪＴ−ＣｏＭＰ、ＤＰＳ−ＣｏＭＰ、及びＣＳ−ＣｏＭＰに比べて、無線リソースの利用効率を改善できる。さらに、基地局が複数のアンテナを有していない場合、すなわち、ビームフォーミング／ヌルステアリングが不能な場合であっても、本方式を適用可能である。
【００１７】
また、干渉レプリカ信号は、ユーザ端末の位置以外の位置においては、希望波信号の復調を妨害する妨害信号として機能するため、無線通信におけるセキュリティを高めることができる。
【００１８】
第２実施形態では、前記隣接セルは、前記基地局とは異なる他基地局によって管理されている。前記制御部は、前記ユーザ端末の位置に関する位置情報を前記他基地局に通知する。前記他基地局は、前記位置情報に基づいて、前記ユーザ端末の位置における前記干渉波信号の受信電力を上昇させる。前記制御部は、前記干渉波信号の受信電力の上昇に応じて、前記干渉レプリカ信号の送信電力を上昇させる。
【００１９】
第３実施形態では、前記制御部は、前記ユーザ端末の通信に要求されるＱｏＳに基づいて、前記干渉レプリカ信号を前記希望波信号に重畳する重畳送信を行うか否かを判定する。
【００２０】
第３実施形態の変更例では、前記制御部は、前記ユーザ端末の通信に要求されるセキュリティレベルに基づいて、前記干渉レプリカ信号を前記希望波信号に重畳する重畳送信を行うか否かを判定する。
【００２１】
第１実施形態乃至第３実施形態に係る通信制御方法は、サービングセルを管理する基地局と、前記サービングセルからの希望波信号を受信するとともに、前記サービングセルに隣接する隣接セルからの干渉波信号を受信するユーザ端末と、を有する移動通信システムにおいて用いられる。前記通信制御方法は、前記基地局において、前記干渉波信号に対応する干渉レプリカ信号を生成するステップＡと、前記干渉レプリカ信号を前記希望波信号に重畳するステップＢと、前記干渉レプリカ信号が重畳された前記希望波信号を前記ユーザ端末に送信するステップＣと、を含む。前記ステップＡにおいて、前記ユーザ端末の位置において前記干渉レプリカ信号が前記干渉波信号を打ち消すように、前記干渉レプリカ信号を生成する。前記干渉レプリカ信号は、前記ユーザ端末の位置以外の位置においては、前記希望波信号の復調を妨害する妨害信号として機能する。
【００２２】
第１実施形態乃至第３実施形態に係る基地局は、サービングセルからの希望波信号を受信するとともに、前記サービングセルに隣接する隣接セルからの干渉波信号を受信するユーザ端末を有する移動通信システムにおいて、前記サービングセルを管理する。前記基地局は、前記干渉波信号に対応する干渉レプリカ信号を生成し、前記干渉レプリカ信号を前記希望波信号に重畳する制御部と、前記干渉レプリカ信号が重畳された前記希望波信号を前記ユーザ端末に送信する送信部と、を含む。前記制御部は、前記ユーザ端末の位置において前記干渉レプリカ信号が前記干渉波信号を打ち消すように、前記干渉レプリカ信号を生成する。前記干渉レプリカ信号は、前記ユーザ端末の位置以外の位置においては、前記希望波信号の復調を妨害する妨害信号として機能する。
【００２３】
第１実施形態乃至第３実施形態に係るプロセッサは、サービングセルからの希望波信号を受信するとともに、前記サービングセルに隣接する隣接セルからの干渉波信号を受信するユーザ端末を有する移動通信システムにおいて、前記サービングセルを管理する基地局に備えられる。前記プロセッサは、前記干渉波信号に対応する干渉レプリカ信号を生成する処理Ａと、前記干渉レプリカ信号を前記希望波信号に重畳する処理Ｂと、前記干渉レプリカ信号が重畳された前記希望波信号を前記ユーザ端末に送信するための処理Ｃと、を行う。前記処理Ａにおいて、前記ユーザ端末の位置において前記干渉レプリカ信号が前記干渉波信号を打ち消すように、前記干渉レプリカ信号を生成する。前記干渉レプリカ信号は、前記ユーザ端末の位置以外の位置においては、前記希望波信号の復調を妨害する妨害信号として機能する。
【００２４】
第４実施形態に係る基地局は、サービングセルからの希望波信号及び参照信号を受信するとともに、前記サービングセルに隣接する隣接セルからの干渉波信号を受信するユーザ端末を有する移動通信システムにおいて、前記サービングセルを管理する。前記基地局は、前記希望波信号と前記参照信号との間の送信電力差に関する電力差情報を前記ユーザ端末に通知する制御部を含む。前記制御部は、前記ユーザ端末が受信する前記干渉波信号を打ち消すように、前記干渉波信号に対応する干渉レプリカ信号を前記希望波信号に重畳する場合において、前記電力差情報を前記ユーザ端末に通知する。
【００２５】
第４実施形態に係るユーザ端末は、サービングセルからの希望波信号及び参照信号を受信するとともに、前記サービングセルに隣接する隣接セルからの干渉波信号を受信する。前記参照信号に基づいて、前記希望波信号を復調する制御部を含む。前記希望波信号には、前記干渉波信号を打ち消すための干渉レプリカ信号が重畳されている。前記制御部は、前記希望波信号と前記参照信号との間の送信電力差に関する電力差情報を前記サービングセルから受信した場合に、前記電力差情報に基づいて前記希望波信号の復調を制御する。
【００２６】
このような基地局及びユーザ端末によれば、協調型干渉キャンセル方式において、干渉レプリカ信号を希望波信号に重畳することにより、希望波信号の送信電力が参照信号よりも低くなる場合であっても、希望波信号を容易に復調できる。
【００２７】
第４実施形態では、前記電力差情報は、前記送信電力差を示す値又は前記送信電力差が存在することを示すフラグである。
【００２８】
第４実施形態に係る通信制御方法は、サービングセルからの希望波信号及び参照信号を受信するとともに、前記サービングセルに隣接する隣接セルからの干渉波信号を受信するユーザ端末を有する移動通信システムにおいて用いられる。前記通信制御方法は、前記サービングセルを管理する基地局が、前記希望波信号と前記参照信号との間の送信電力差に関する電力差情報を前記ユーザ端末に通知する通知ステップを含む。前記通知ステップにおいて、前記基地局は、前記ユーザ端末が受信する前記干渉波信号を打ち消すように、前記干渉波信号に対応する干渉レプリカ信号を前記希望波信号に重畳する場合において、前記電力差情報を前記ユーザ端末に通知する。
【００２９】
第４実施形態に係る通信制御方法は、サービングセルからの希望波信号及び参照信号を受信するとともに、前記サービングセルに隣接する隣接セルからの干渉波信号を受信するユーザ端末を有する移動通信システムにおいて用いられる。前記参照信号は、前記希望波信号の復調に使用される信号である。前記希望波信号には、前記干渉波信号を打ち消すための干渉レプリカ信号が重畳されている。前記ユーザ端末が、前記希望波信号と前記参照信号との間の送信電力差に関する電力差情報を前記サービングセルから受信した場合に、前記電力差情報に基づいて前記希望波信号の復調を制御するステップを含む。
【００３０】
第４実施形態に係るプロセッサは、サービングセルからの希望波信号及び参照信号を受信するとともに、前記サービングセルに隣接する隣接セルからの干渉波信号を受信するユーザ端末を有する移動通信システムにおいて、前記サービングセルを管理する基地局に備えられる。前記プロセッサは、前記希望波信号と前記参照信号との間の送信電力差に関する電力差情報を前記ユーザ端末に通知する通知処理を実行する。前記通知処理は、前記ユーザ端末が受信する前記干渉波信号を打ち消すように、前記干渉波信号に対応する干渉レプリカ信号を前記希望波信号に重畳する場合において、前記電力差情報を前記ユーザ端末に通知する。
【００３１】
第４実施形態に係るプロセッサは、サービングセルからの希望波信号及び参照信号を受信するとともに、前記サービングセルに隣接する隣接セルからの干渉波信号を受信するユーザ端末に備えられる。前記参照信号は、前記希望波信号の復調に使用される信号である。前記希望波信号には、前記干渉波信号を打ち消すための干渉レプリカ信号が重畳されている。前記プロセッサは、前記希望波信号と前記参照信号との間の送信電力差に関する電力差情報を前記サービングセルから受信した場合に、前記電力差情報に基づいて前記希望波信号の復調を制御する処理を実行する。
【００３２】
第５実施形態に係る移動通信システムは、サービングセルからの希望波信号を受信するとともに、前記サービングセルに隣接する隣接セルからの干渉波信号を受信するユーザ端末と、前記隣接セルを管理する基地局と、を有する。前記基地局は、前記希望波信号に対応する希望波レプリカ信号を生成し、前記希望波レプリカ信号を前記干渉波信号に重畳する制御部と、前記希望波レプリカ信号が重畳された前記干渉波信号を送信する送信部と、を含む。前記制御部は、前記ユーザ端末が受信する前記希望波レプリカ信号が、前記ユーザ端末が受信する前記希望波信号と合成されるように、前記希望波レプリカ信号を生成する。
【００３３】
このような方式によれば、ユーザ端末における希望波信号の受信電力を上昇させることができるため、希望波対干渉波比（ＳＩＲ；Ｓｉｇｎａｌ−ｔｏ−Ｉｎｔｅｒｆｅｒｅｎｃｅ  Ｒａｔｉｏ）を改善できる。また、隣接セルにおいて当該ユーザ端末のために無線リソースを確保する必要がないため、ＪＴ−ＣｏＭＰ、ＤＰＳ−ＣｏＭＰ、及びＣＳ−ＣｏＭＰに比べて、無線リソースの利用効率を改善できる。さらに、基地局が複数のアンテナを有していない場合、すなわち、ビームフォーミング／ヌルステアリングが不能な場合であっても、本方式を適用可能である。
【００３４】
第５実施形態では、前記制御部は、前記希望波レプリカ信号の送信電力を、前記干渉波信号の送信電力よりも低く設定する。
【００３５】
第５実施形態では、前記サービングセルは、前記基地局とは異なる他基地局によって管理されている。
【００３６】
第５実施形態では、前記他基地局は、前記干渉波信号に対応する干渉レプリカ信号を生成し、かつ、前記干渉レプリカ信号を前記希望波信号に重畳して送信している。前記他基地局は、前記ユーザ端末が受信する前記干渉レプリカ信号が、前記ユーザ端末が受信する前記干渉波信号を打ち消すように、前記干渉レプリカ信号を生成する。
【００３７】
第５実施形態に係る通信制御方法は、サービングセルからの希望波信号を受信するとともに、前記サービングセルに隣接する隣接セルからの干渉波信号を受信するユーザ端末と、前記隣接セルを管理する基地局と、を有する移動通信システムにおいて用いられる。前記通信制御方法は、前記基地局において、前記希望波信号に対応する希望波レプリカ信号を生成するステップＡと、前記希望波レプリカ信号を前記干渉波信号に重畳するステップＢと、前記希望波レプリカ信号が重畳された前記干渉波信号を送信するステップＣと、を含む。前記ステップＡにおいて、前記ユーザ端末が受信する前記希望波レプリカ信号が、前記ユーザ端末が受信する前記希望波信号と合成されるように、前記希望波レプリカ信号を生成する。
【００３８】
第５実施形態に係る基地局は、サービングセルからの希望波信号を受信するとともに、前記サービングセルに隣接する隣接セルからの干渉波信号を受信するユーザ端末を有する移動通信システムにおいて、前記隣接セルを管理する。前記基地局は、前記希望波信号に対応する希望波レプリカ信号を生成し、前記希望波レプリカ信号を前記干渉波信号に重畳する制御部と、前記希望波レプリカ信号が重畳された前記干渉波信号を送信する送信部と、を含む。前記制御部は、前記ユーザ端末が受信する前記希望波レプリカ信号が、前記ユーザ端末が受信する前記希望波信号と合成されるように、前記希望波レプリカ信号を生成する。
【００３９】
第５実施形態に係るプロセッサは、サービングセルからの希望波信号を受信するとともに、前記サービングセルに隣接する隣接セルからの干渉波信号を受信するユーザ端末を有する移動通信システムにおいて、前記隣接セルを管理する基地局に備えられる。前記プロセッサは、前記希望波信号に対応する希望波レプリカ信号を生成する処理Ａと、前記希望波レプリカ信号を前記干渉波信号に重畳する処理Ｂと、前記希望波レプリカ信号が重畳された前記干渉波信号を送信するための処理Ｃと、を実行する。前記処理Ａにおいて、前記ユーザ端末が受信する前記希望波レプリカ信号が、前記ユーザ端末が受信する前記希望波信号と合成されるように、前記希望波レプリカ信号を生成する。
【００４０】
［第１実施形態］
以下、図面を参照して、３ＧＰＰ規格に準拠して構成される移動通信システム（ＬＴＥシステム）に本発明を適用する一実施形態について説明する。
【００４１】
（ＬＴＥシステム）
図１は、本実施形態に係るＬＴＥシステムの構成図である。
【００４２】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。ＥＰＣ２０は、コアネットワークに相当する。
【００４３】
ＵＥ１００は、移動型の無線通信装置であり、接続を確立したセル（サービングセル）との無線通信を行う。ＵＥ１００はユーザ端末に相当する。
【００４４】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理しており、自セルとの接続を確立したＵＥ１００との無線通信を行う。
【００４５】
なお、「セル」は、無線通信エリアの最小単位を示す用語として使用される他に、ＵＥ１００との無線通信を行う機能を示す用語としても使用される。
【００４６】
ｅＮＢ２００は、無線リソース管理（ＲＲＭ）機能と、ユーザデータのルーティング機能と、モビリティ制御及びスケジューリングのための測定制御機能と、を有する。
【００４７】
ＥＰＣ２０は、複数のＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。
【００４８】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。ＭＭＥ／Ｓ−ＧＷ３００により構成されるＥＰＣ２０は、ｅＮＢ２００を収容する。
【００４９】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００５０】
次に、ＵＥ１００及びｅＮＢ２００の構成を説明する。
【００５１】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００５２】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００５３】
アンテナ１０１及び無線送受信機１１０は、無線信号の送受信に用いられる。アンテナ１０１は、複数設けられていてもよい。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００５４】
ユーザインターフェイス１２０は、ＵＥ１００を所持するユーザとのインターフェイスであり、例えば、ディスプレイ、マイク、スピーカ、及び各種ボタン等を含む。ユーザインターフェイス１２０は、ユーザからの操作を受け付けて、該操作の内容を示す信号をプロセッサ１６０に出力する。
【００５５】
ＧＮＳＳ受信機１３０は、ＵＥ１００の地理的な位置を示す位置情報を得るために、ＧＮＳＳ信号を受信して、受信した信号をプロセッサ１６０に出力する。
【００５６】
バッテリ１４０は、ＵＥ１００の各ブロックに供給すべき電力を蓄える。
【００５７】
メモリ１５０は、プロセッサ１６０によって実行されるプログラムと、プロセッサ１６０による処理に使用される情報と、を記憶する。
【００５８】
プロセッサ１６０は、ベースバンド信号の変調・復調及び符号化・復号等を行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００５９】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。
【００６０】
アンテナ２０１及び無線送受信機２１０は、無線信号の送受信に用いられる。アンテナ２０１は、複数設けられていてもよい。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００６１】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００６２】
メモリ２３０は、プロセッサ２４０によって実行されるプログラムと、プロセッサ２４０による処理に使用される情報と、を記憶する。
【００６３】
プロセッサ２４０は、ベースバンド信号の変調・復調及び符号化・復号等を行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００６４】
図４は、ＬＴＥシステムにおける無線インターフェイスのプロトコルスタック図である。
【００６５】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００６６】
物理レイヤは、符号化・復号、変調・復調、アンテナマッピング・デマッピング、及びリソースマッピング・デマッピング等を行う。ＵＥ１００の物理レイヤとｅＮＢ２００の物理レイヤとの間では、物理チャネルを介してデータが伝送される。
【００６７】
ＭＡＣレイヤは、データの優先制御、及びハイブリッドＡＲＱ（ＨＡＲＱ）による再送処理等を行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式等）、及び割当リソースブロックを決定するスケジューラを含む。
【００６８】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００６９】
ＰＤＣＰレイヤは、ヘッダ圧縮・伸張、及び暗号化・復号化を行う。
【００７０】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態（ＲＲＣ  ｃｏｎｎｅｃｔｅｄ  ｓｔａｔｅ）であり、そうでない場合、ＵＥ１００はアイドル状態（ＲＲＣ  ｉｄｌｅ  ｓｔａｔｅ）である。
【００７１】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理等を行う。
【００７２】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００７３】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される最小リソース単位はリソースエレメント（ＲＥ）と称される。
【００７４】
また、ＵＥ１００に割り当てられる無線リソースのうち、周波数リソースはリソースブロックにより特定でき、時間リソースはサブフレーム（又はスロット）により特定できる。
【００７５】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、サウンディング参照信号（ＳＲＳ）が配置される。
【００７６】
図６は、下りリンクで使用される無線フレームの構成図である。
【００７７】
図６に示すように、下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。
【００７８】
下りリンクにおいて、各サブフレームには、セル固有参照信号（ＣＲＳ）及び／又はチャネル状態情報用参照信号（ＣＳＩ−ＲＳ）等の下りリンク参照信号が分散して配置される。下りリンク参照信号は、所定の直交信号系列により構成され、かつ、所定のリソースエレメントに配置される。
【００７９】
（協調型干渉キャンセル方式の概要）
図７は、本実施形態に係る協調型干渉キャンセル方式の概要を説明するための図である。
【００８０】
図７に示すように、ＵＥ１００−１は、協調型干渉キャンセル方式が適用されるＵＥである。ＵＥ１００−１は、ｅＮＢ２００−１が管理するセルとの接続（ＲＲＣ接続）を確立している。すなわち、ｅＮＢ２００−１が管理するセルは、ＵＥ１００−１のサービングセルに相当する。
【００８１】
本実施形態では、サービングセルに隣接する隣接セルは、ｅＮＢ２００−１とは異なるｅＮＢ２００−２によって管理されている。図７の例では、ＵＥ１００−２は、ｅＮＢ２００−２が管理するセルとの接続（ＲＲＣ接続）を確立している。なお、ｅＮＢ２００−１及びｅＮＢ２００−２は、同期がとられている。
【００８２】
ｅＮＢ２００−１及びｅＮＢ２００−２は、Ｘ２インターフェイスにより相互に接続される。また、ｅＮＢ２００−１及びｅＮＢ２００−２は、Ｓ１インターフェイスによりＭＭＥ／Ｓ−ＧＷ３００と接続される。
【００８３】
ＵＥ１００−１は、ｅＮＢ２００−１が管理するセル（サービングセル）とｅＮＢ２００−２が管理するセル（隣接セル）との境界付近に位置している。よって、ｅＮＢ２００−２がｅＮＢ２００−１と同じ無線リソースを使用してＵＥ１００−２への送信を行う場合、ＵＥ１００−１は、ｅＮＢ２００−２からの下りリンクの干渉を受ける。すなわち、ＵＥ１００−１は、サービングセルからの希望波信号を受信するとともに、隣接セルからの干渉波信号を受信する。
【００８４】
このような動作環境において、ｅＮＢ２００−１は、干渉波信号に対応する干渉レプリカ信号を生成し、干渉レプリカ信号を希望波信号に重畳する。そして、ｅＮＢ２００−１は、干渉レプリカ信号が重畳された希望波信号をＵＥ１００−１に送信する。
【００８５】
ここで、ｅＮＢ２００−１は、ＵＥ１００−１が受信する干渉レプリカ信号が、ＵＥ１００−１が受信する干渉波信号を打ち消すように、干渉レプリカ信号を生成する。具体的には、ｅＮＢ２００−１は、ＵＥ１００−１が受信する干渉レプリカ信号の位相が、ＵＥ１００−１が受信する干渉波信号の位相と逆になるように、干渉レプリカ信号を生成する。また、ｅＮＢ２００−１は、ＵＥ１００−１が受信する干渉レプリカ信号の振幅が、ＵＥ１００−１が受信する干渉波信号の振幅と同じになるように、干渉レプリカ信号を生成する。
【００８６】
これにより、干渉レプリカ信号は、ＵＥ１００−１の位置において、干渉波信号と逆位相で合成され、干渉波信号を打ち消す。よって、ＵＥ１００−１における干渉波信号の受信電力を低下させることができるため、ＳＩＲを改善できる。また、隣接セルにおいてＵＥ１００−１のために無線リソースを確保する必要がないため、ＪＴ−ＣｏＭＰ、ＤＰＳ−ＣｏＭＰ、及びＣＳ−ＣｏＭＰに比べて、無線リソースの利用効率を改善できる。さらに、ｅＮＢ２００−２が複数のアンテナを有していない場合、すなわち、ビームフォーミング／ヌルステアリングが不能な場合であっても、本方式（協調型干渉キャンセル方式）を適用可能である。
【００８７】
また、干渉レプリカ信号は、ＵＥ１００−１の位置以外の位置においては、干渉波信号と逆位相で合成されずに残存する。よって、干渉レプリカ信号は、ＵＥ１００−１の位置以外の位置においては、希望波信号の復調を妨害する妨害信号としても機能する。従って、協調型干渉キャンセル方式によれば、通信の秘匿性も高めることができる。
【００８８】
ｅＮＢ２００−１は、干渉レプリカ信号を生成するために必要な情報の少なくとも一部を、ｅＮＢ２００−２、ＭＭＥ／Ｓ−ＧＷ３００、及びＵＥ１００−１のうち少なくとも１つから取得する。
【００８９】
干渉レプリカ信号を生成するためには、第１に、ｅＮＢ２００−２が送信する干渉波信号の信号波形に関する情報（干渉波情報）が必要である。
【００９０】
ただし、ｅＮＢ２００−２が送信する干渉波信号は、ｅＮＢ２００−２とＵＥ１００−１との間のチャネル特性の影響を受けて、ＵＥ１００−１で受信される。よって、干渉レプリカ信号を生成するためには、第２に、ｅＮＢ２００−２とＵＥ１００−１との間のチャネル特性に関する情報（チャネル情報）が必要である。
【００９１】
さらに、干渉レプリカ信号の精度を向上させるためには、干渉波情報及びチャネル情報以外の情報も利用できる。そのような情報の詳細については後述する。
【００９２】
（ｅＮＢ２００−１の構成）
図８は、協調型干渉キャンセル方式を実現するためのｅＮＢ２００−１のブロック図である。
【００９３】
図８に示すように、プロセッサ２４０は、希望波信号を生成する希望波信号生成部２４１と、干渉レプリカ信号を生成する干渉レプリカ信号生成部２４２と、干渉レプリカ信号を希望波信号に重畳する重畳部２４３と、干渉レプリカ信号が重畳された希望波信号からＯＦＤＭ信号（重畳信号）を生成するＯＦＤＭ信号生成部２４４と、を含む。無線送受信機２１０は、ＯＦＤＭ信号（重畳信号）を増幅して送信する送信部２１１を含む。
【００９４】
希望波信号生成部２４１は、ＵＥ１００−１への送信データ（ユーザデータ）に送信処理を施すことにより、ＵＥ１００−１への送信データを希望波信号に変換する。送信処理は、符号化処理、変調処理、プリコーディング処理、及びリソースマッピング処理を含む。
【００９５】
符号化処理は、送信データを符号化する処理である。符号化処理は、送信データに誤り検出符号（ＣＲＣ符号）を付加する処理、及びスクランブル処理などを含んでもよい。
【００９６】
変調処理は、符号化された送信データ（符号化データ）を変調する処理である。
【００９７】
プリコーディング処理は、ｅＮＢ２００−１とＵＥ１００−１との間のチャネル特性を示すチャネル情報に基づいて、変調された符号化データ（希望波信号波形）をプリコーディングする処理である。
【００９８】
なお、以下においては、ｅＮＢ２００−１とＵＥ１００−１との間のチャネル特性を示すチャネル情報を「チャネル情報１」と称し、ｅＮＢ２００−２とＵＥ１００−１との間のチャネル特性を示すチャネル情報を「チャネル情報２」と称する。
【００９９】
リソースマッピング処理は、プリコーディングされた希望波信号波形を物理リソースにマッピングする処理である。
【０１００】
これらの処理の結果、希望波信号生成部２４１は、希望波信号を重畳部２４３に出力する。
【０１０１】
干渉レプリカ信号生成部２４２は、少なくともチャネル情報２に基づいて、干渉波情報に対応する干渉波信号波形の位相及び振幅を調整して、干渉レプリカ信号を生成する。また、干渉レプリカ信号生成部２４２は、干渉レプリカ信号の精度を向上させるための情報も加味して、干渉レプリカ信号を生成する。さらに、干渉レプリカ信号生成部２４２は、無線送受信機２１０における送信電力を調整してもよい。
【０１０２】
具体的には、干渉レプリカ信号生成部２４２は、ＵＥ１００−１が受信する干渉レプリカ信号の位相が、ＵＥ１００−１が受信する干渉波信号の位相と逆になるように、干渉レプリカ信号を生成する。また、干渉レプリカ信号生成部２４２は、ＵＥ１００−１が受信する干渉レプリカ信号の振幅が、ＵＥ１００−１が受信する干渉波信号の振幅と同じになるように、干渉レプリカ信号を生成する。
【０１０３】
例えば、干渉レプリカ信号生成部２４２は、希望波情報及びチャネル情報２を用いて、ＵＥ１００−１が受信する干渉波受信波形を推定する。次に、干渉レプリカ信号生成部２４２は、当該干渉波受信波形を位相平面上にマッピング（ベクトル化）し、振幅を一定に保ちながら、位相を１８０度回転させることにより、干渉レプリカ信号（レプリカベクトル）を生成する。ただし、ＣＲＳ位置の違いやＤＭＲＳ（復調用参照信号）の有無などを考慮して、リソースエレメント位置の対応が取れるようにレプリカを生成する必要がある。また、サービングセルのＣＲＳ位置には、レプリカを重畳することはできない。
【０１０４】
第１に、干渉波情報の取得方法について説明する。干渉波情報は、例えば干渉波信号波形である。干渉波信号波形とは、ｅＮＢ２００−２における変調後の信号の波形である。或いは、干渉波信号波形と位相が逆で振幅が等しい信号の波形（逆特性干渉信号波形）を取得可能である場合、干渉波情報は、逆特性干渉信号であってもよい。
【０１０５】
干渉波情報が干渉波信号波形又は逆特性干渉信号波形である場合、ｅＮＢ２００−１のネットワークインターフェイス２２０は、干渉波信号波形又は逆特性干渉信号波形をｅＮＢ２００−１から受信する。そして、干渉レプリカ信号生成部２４２は、ネットワークインターフェイス２２０が受信した干渉波信号波形又は逆特性干渉信号波形を取得する。
【０１０６】
或いは、干渉波情報は、ｅＮＢ２００−２において干渉波信号に変換される前の送信データ（ＵＥ１００−２へのユーザデータ）である。当該送信データは、符号化前の送信データであってもよく、符号化後の送信データであってもよい。
【０１０７】
なお、以下においては、ＵＥ１００−１に対する送信データを「送信データ１」と称し、ＵＥ１００−２に対する送信データを「送信データ２」と称する。
【０１０８】
干渉波情報が送信データ２である場合、ｅＮＢ２００−１のネットワークインターフェイス２２０は、送信データ２をｅＮＢ２００−１又はＭＭＥ／Ｓ−ＧＷ３００から受信する。干渉レプリカ信号生成部２４２は、ネットワークインターフェイス２２０が受信した送信データ２を取得する。
【０１０９】
また、干渉波情報が送信データ２である場合、干渉レプリカ信号生成部２４２は、ｅＮＢ２００−２が送信データ２に対して行う送信処理と同じ送信処理を行って、干渉波信号波形を生成する必要がある。よって、ｅＮＢ２００−１のネットワークインターフェイス２２０は、ｅＮＢ２００−２が送信データ２に対して行う送信処理の内容を示す送信処理情報をｅＮＢ２００−２から受信する。送信処理の内容とは、例えば、符号化処理の内容、変調処理の内容、及びリソースマッピング処理の内容である。干渉レプリカ信号生成部２４２は、ネットワークインターフェイス２２０が受信した送信処理情報を取得する。
【０１１０】
第２に、チャネル情報２の取得方法について説明する。チャネル情報２は下りリンクのチャネル特性を示す情報であるため、ＦＤＤの場合には、チャネル情報２はＵＥ１００−１において生成される。これに対し、ＴＤＤの場合には、チャネル情報２はＵＥ１００−１又はｅＮＢ２００−２において生成される。
【０１１１】
なお、干渉波情報が逆特性干渉信号波形である場合、干渉レプリカ信号生成部２４２はチャネル情報２を取得する必要はないことに留意すべきである。
【０１１２】
チャネル情報２をＵＥ１００−１において生成する場合、チャネル情報２は、ＵＥ１００−１からｅＮＢ２００−１へ直接的に送信されてもよく、ＵＥ１００−１からｅＮＢ２００−２を経由してｅＮＢ２００−１へ間接的に送信されてもよい。
【０１１３】
ｅＮＢ２００−１のネットワークインターフェイス２２０は、チャネル情報２をｅＮＢ２００−２から受信する。或いは、ｅＮＢ２００−１の無線送受信機２１０は、チャネル情報２をＵＥ１００−１から受信する。干渉レプリカ信号生成部２４２は、ネットワークインターフェイス２２０又は無線送受信機２１０が受信したチャネル情報２を取得する。
【０１１４】
第３に、干渉レプリカ信号の精度を向上させるための情報の取得方法について説明する。
【０１１５】
干渉レプリカ信号の精度を向上させるための情報は、ＵＥ１００−１がｅＮＢ２００−２から受信する参照信号についての受信電力（ＲＳＲＰ；Ｒｅｆｅｒｅｎｃｅ  Ｓｉｇｎａｌ  Ｒｅｃｅｉｖｅｄ  Ｐｏｗｅｒ）を示す受信電力情報である。干渉レプリカ信号生成部２４２は、受信電力情報を加味することにより、干渉レプリカ信号の振幅（送信電力を含む）を適切に調整できる。
【０１１６】
受信電力情報は、ＵＥ１００−１において生成される。受信電力情報は、ＵＥ１００−１からｅＮＢ２００−１へ直接的に送信されてもよく、ＵＥ１００−１からｅＮＢ２００−２を経由してｅＮＢ２００−１へ間接的に送信されてもよい。
【０１１７】
ｅＮＢ２００−１のネットワークインターフェイス２２０は、受信電力情報をｅＮＢ２００−２から受信する。或いは、ｅＮＢ２００−１の無線送受信機２１０は、受信電力情報をＵＥ１００−１から受信する。干渉レプリカ信号生成部２４２は、ネットワークインターフェイス２２０又は無線送受信機２１０が受信した受信電力情報を取得する。
【０１１８】
或いは、干渉レプリカ信号の精度を向上させるための情報は、ｅＮＢ２００−２が送信する参照信号（ＣＲＳ）とデータ信号との間の振幅差又は位相差の少なくとも一方を示す差情報である。データ信号とは、ｅＮＢ２００−２が物理下りリンク共有チャネル（ＰＤＳＣＨ）上で送信する信号である。干渉レプリカ信号生成部２４２は、差情報を加味することにより、干渉レプリカ信号の振幅及び／又は位相を適切に調整できる。
【０１１９】
差情報は、ｅＮＢ２００−２において生成される。ｅＮＢ２００−２は、差情報をｅＮＢ２００−１に送信する。ｅＮＢ２００−１のネットワークインターフェイス２２０は、差情報をｅＮＢ２００−２から受信する。干渉レプリカ信号生成部２４２は、ネットワークインターフェイス２２０が受信した差情報を取得する。
【０１２０】
或いは、干渉レプリカ信号の精度を向上させるための情報は、ｅＮＢ２００−２が送信する参照信号（ＣＲＳ）とデータ信号との間の電力差を示す電力差情報である。干渉レプリカ信号生成部２４２は、電力差情報を加味することにより、干渉レプリカ信号の振幅（送信電力を含む）を適切に調整できる。
【０１２１】
電力差情報は、例えば、ｅＮＢ２００−２において生成される電力差情報（送信電力差を示す情報）である。電力差情報は、ｅＮＢ２００−２からｅＮＢ２００−１へ直接的に送信されてもよく、ｅＮＢ２００−２からＵＥ１００−１を経由してｅＮＢ２００−１へ間接的に送信されてもよい。
【０１２２】
ｅＮＢ２００−１のネットワークインターフェイス２２０は、電力差情報をｅＮＢ２００−２から受信する。或いは、ｅＮＢ２００−１の無線送受信機２１０は、電力差情報をＵＥ１００−１から受信する。干渉レプリカ信号生成部２４２は、ネットワークインターフェイス２２０又は無線送受信機２１０が受信した電力差情報を取得する。
【０１２３】
或いは、干渉レプリカ信号の精度を向上させるための情報は、ｅＮＢ２００−１からＵＥ１００−１までの遅延時間と、ｅＮＢ２００−２からＵＥ１００−１までの遅延時間と、の間の遅延時間差を示す時間差情報である。干渉レプリカ信号生成部２４２は、時間差情報を加味することにより、干渉レプリカ信号の送信タイミングを適切に調整できる。
【０１２４】
時間差情報は、ＵＥ１００−１において生成される。時間差情報は、ＵＥ１００−１からｅＮＢ２００−１へ直接的に送信されてもよく、ＵＥ１００−１からｅＮＢ２００−２を経由してｅＮＢ２００−１へ間接的に送信されてもよい。
【０１２５】
ｅＮＢ２００−１のネットワークインターフェイス２２０は、時間差情報をｅＮＢ２００−２から受信する。或いは、ｅＮＢ２００−１の無線送受信機２１０は、時間差情報をＵＥ１００−１から受信する。干渉レプリカ信号生成部２４２は、ネットワークインターフェイス２２０又は無線送受信機２１０が受信した時間差情報を取得する。
【０１２６】
（第１実施形態に係る動作）
以下において、本実施形態に係る動作を動作パターン１から動作パターン８の順に説明する。
【０１２７】
（１）動作パターン１
図９は、本実施形態に係る動作パターン１のシーケンス図である。動作パターン１では、ｅＮＢ２００−１が取得する干渉波情報は、干渉信号波形である。
【０１２８】
図９に示すように、ステップＳ１１０１において、ｅＮＢ２００−２は、自セルに接続するＵＥ１００−２に対するスケジューリング（或いは、プレスケジューリング）を行う。
【０１２９】
ステップＳ１１０２において、ｅＮＢ２００−２は、スケジューリングの結果に基づいて、送信データ２から送信信号波形を生成し、送信信号波形をサンプリングする。
【０１３０】
ステップＳ１１０３において、ｅＮＢ２００−２は、サンプリングした送信信号波形をｅＮＢ２００−１に送信する。ここで、サンプリングした送信信号波形は、干渉信号波形に相当する。
【０１３１】
ステップＳ１１０４において、ｅＮＢ２００−１は、自セルに接続するＵＥ１００−１に対するスケジューリングを行い、送信信号波形（希望波信号波形）を生成する。
【０１３２】
ステップＳ１１０５において、ｅＮＢ２００−１は、チャネル情報２を取得する。ｅＮＢ２００−１がチャネル情報２を取得するための動作の具体例については後述する。
【０１３３】
ステップＳ１１０６において、ｅＮＢ２００−１は、チャネル情報２に基づいて、干渉信号波形の逆特性信号を干渉レプリカ信号として生成する。そして、ｅＮＢ２００−１は、干渉レプリカ信号を希望波信号に重畳する。
【０１３４】
ステップＳ１１０７において、ｅＮＢ２００−２は、ＵＥ１００−２に対する送信を行う。ＵＥ１００−１は、ｅＮＢ２００−２からの信号を干渉波信号として受信する。一方、ｅＮＢ２００−１は、ＵＥ１００−１に対する重畳信号の送信を行う。ＵＥ１００−１は、重畳信号を受信する。ここで、重畳信号に含まれる干渉レプリカ信号により、干渉波信号がキャンセルされる。
【０１３５】
ステップＳ１１０８において、ＵＥ１００−１は、重畳信号に含まれる希望波信号を復調する。
【０１３６】
なお、本動作パターンでは、主にＵＥ受信端（無線信号の状態）において干渉波信号がキャンセルされることを想定しているが、復調時（ベースバンド信号の状態）においてキャンセルされてもよい。以下の動作パターンにおいても同様である。
【０１３７】
図１０は、ｅＮＢ２００−１がチャネル情報２を取得するための動作例１のシーケンス図である。本動作例では、チャネル情報２は、ＵＥ１００−１において生成され、ＵＥ１００−１からｅＮＢ２００−２を経由してｅＮＢ２００−１に送信される。
【０１３８】
図１０に示すように、ステップＳ１１において、ｅＮＢ２００−１は、協調型干渉キャンセル方式が適用されるＵＥ１００−１の識別子（端末ＩＤ）をｅＮＢ２００−２に送信する。
【０１３９】
ステップＳ１２において、ｅＮＢ２００−１は、ＵＥ１００−１がチャネル情報２を取得すべき隣接セルの識別子（セルＩＤ）をＵＥ１００−１に送信する。当該セルＩＤは、チャネル特性の推定対象とすべきセルを示すセル指定情報に相当する。
【０１４０】
ステップＳ１３において、ｅＮＢ２００−２は、参照信号（ＣＲＳ）を送信する。
【０１４１】
ステップＳ１４において、ＵＥ１００−１は、ｅＮＢ２００−１から受信したセルＩＤに基づいて、ｅＮＢ２００−２からの参照信号（ＣＲＳ）を受信する。そして、ＵＥ１００−１は、ＣＲＳに基づいてチャネル推定を行い、チャネル情報２を生成する。このように、ＵＥ１００−１は、ｅＮＢ２００−１から受信したセルＩＤが示すセルについてチャネル特性を推定することにより、チャネル情報２を生成する。
【０１４２】
ステップＳ１５において、ＵＥ１００−１は、ｅＮＢ２００−１から受信したセルＩＤに基づいて、チャネル情報２をｅＮＢ２００−２に送信する。ここで、ＵＥ１００−１は、自身の端末ＩＤをチャネル情報２に付加して送信する。
【０１４３】
ステップＳ１６において、ｅＮＢ２００−２は、ｅＮＢ２００−１から受信した端末ＩＤに基づいて、ＵＥ１００−１から受信したチャネル情報２をｅＮＢ２００−１に転送する。ｅＮＢ２００−１は、ｅＮＢ２００−２からチャネル情報２を受信する。
【０１４４】
図１１は、ｅＮＢ２００−１がチャネル情報２を取得するための動作例２のシーケンス図である。本動作例では、チャネル情報２は、ＵＥ１００−１において生成され、ＵＥ１００−１からｅＮＢ２００−１に直接的に送信される。
【０１４５】
図１１に示すように、ステップＳ２１において、ｅＮＢ２００−１は、ＵＥ１００−１がチャネル情報２を取得すべき隣接セルの識別子（セルＩＤ）をＵＥ１００−１に送信する。当該セルＩＤは、チャネル特性の推定対象とすべきセルを示すセル指定情報に相当する。
【０１４６】
ステップＳ２２において、ｅＮＢ２００−２は、参照信号（ＣＲＳ）を送信する。
【０１４７】
ステップＳ２３において、ＵＥ１００−１は、ｅＮＢ２００−１から受信したセルＩＤに基づいて、ｅＮＢ２００−２からの参照信号（ＣＲＳ）を受信する。そして、ＵＥ１００−１は、ＣＲＳに基づいてチャネル推定を行い、チャネル情報２を生成する。このように、ＵＥ１００−１は、ｅＮＢ２００−１から受信したセルＩＤが示すセルについてチャネル特性を推定することにより、チャネル情報２を生成する。
【０１４８】
ステップＳ２４において、ＵＥ１００−１は、ｅＮＢ２００−１から受信したセルＩＤに基づいて、チャネル情報２をｅＮＢ２００−１に送信する。ｅＮＢ２００−１は、ＵＥ１００−１からチャネル情報２を受信する。
【０１４９】
図１２は、ｅＮＢ２００−１がチャネル情報２を取得するための動作例３のシーケンス図である。本動作例では、チャネル情報２は、ｅＮＢ２００−２において生成され、ｅＮＢ２００−２からｅＮＢ２００−１に送信される。
【０１５０】
図１２に示すように、ステップＳ３１において、ｅＮＢ２００−１は、協調型干渉キャンセル方式が適用されるＵＥ１００−１の識別子（端末ＩＤ）をｅＮＢ２００−２に送信する。当該端末ＩＤは、チャネル特性の推定対象とすべきＵＥを示す端末指定情報に相当する。
【０１５１】
ステップＳ３２において、ｅＮＢ２００−１は、ＵＥ１００−１が送信する参照信号（ＳＲＳ）を復調するためのＳＲＳ復調用情報をｅＮＢ２００−２に送信する。ＳＲＳ復調用情報は、ＳＲＳ挿入サブフレーム間隔、対象ＵＥの直交符号、ＳＲＳ帯域幅、ＳＲＳ周波数ドメイン位置、ＳＲＳホッピング帯域などを含む。ＳＲＳ復調用情報は、サブフレーム開始位置、及びシステム帯域幅をさらに含んでもよい。なお、ｅＮＢ２００−１は、上記の端末ＩＤをＳＲＳ復調用情報に含めてｅＮＢ２００−２に送信してもよい。この場合、ステップＳ３１は省略可能である。
【０１５２】
ステップＳ３３において、ＵＥ１００−１は、参照信号（ＳＲＳ）を送信する。
【０１５３】
ステップＳ３４において、ｅＮＢ２００−２は、ｅＮＢ２００−１から受信したＳＲＳ復調用情報に基づいて、ＵＥ１００−１からの参照信号（ＳＲＳ）を受信及び復調する。そして、ｅＮＢ２００−２は、ＳＲＳに基づいてチャネル推定を行い、チャネル情報２を生成する。
【０１５４】
ステップＳ３５において、ｅＮＢ２００−２は、チャネル情報２をｅＮＢ２００−１に送信する。ｅＮＢ２００−１は、ｅＮＢ２００−２からチャネル情報２を受信する。
【０１５５】
（２）動作パターン２
図１３は、本実施形態に係る動作パターン２のシーケンス図である。動作パターン２は、動作パターン１を一部変更したものである。
【０１５６】
図１３に示すように、ステップＳ１２０１において、ｅＮＢ２００−１は、自セルに接続するＵＥ１００−１に対するスケジューリング（或いは、プレスケジューリング）を行う。
【０１５７】
ステップＳ１２０２において、ｅＮＢ２００−１は、スケジューリングの結果に基づいて、ＵＥ１００−１に対する割当リソースブロックを示すリソース情報をｅＮＢ２００−２に送信する。リソース情報は、希望波信号の送信に使用する無線リソースを示す情報に相当する。
【０１５８】
ステップＳ１２０３において、ｅＮＢ２００−２は、自セルに接続するＵＥ１００−２に対するスケジューリングを行う。
【０１５９】
ステップＳ１２０４において、ｅＮＢ２００−２は、スケジューリングの結果に基づいて、ｅＮＢ２００−１から受信したリソース情報に対応するリソースブロックについて、送信データ２から送信信号波形を生成し、送信信号波形をサンプリングする。
【０１６０】
ステップＳ１２０５において、ｅＮＢ２００−２は、サンプリングした送信信号波形をｅＮＢ２００−１に送信する。ここで、サンプリングした送信信号波形は、干渉信号波形に相当する。
【０１６１】
ステップＳ１２０６において、ｅＮＢ２００−１は、チャネル情報２を取得する。チャネル情報２を取得するための動作例については、上述した動作パターン１と同様である。
【０１６２】
ステップＳ１２０７において、ｅＮＢ２００−１は、チャネル情報２に基づいて、希望波信号波形の逆特性信号を干渉レプリカ信号として生成する。そして、ｅＮＢ２００−１は、干渉レプリカ信号を希望波信号に重畳する。
【０１６３】
ステップＳ１２０８において、ｅＮＢ２００−２は、ＵＥ１００−２に対する送信を行う。ＵＥ１００−１は、ｅＮＢ２００−２からの信号を干渉波信号として受信する。一方、ｅＮＢ２００−１は、ＵＥ１００−１に対する重畳信号の送信を行う。ＵＥ１００−１は、重畳信号を受信する。ここで、重畳信号に含まれる干渉レプリカ信号により、干渉波信号がキャンセルされる。
【０１６４】
ステップＳ１２０９において、ＵＥ１００−１は、重畳信号に含まれる希望波信号を復調する。
【０１６５】
（３）動作パターン３
図１４は、本実施形態に係る動作パターン３のシーケンス図である。動作パターン３では、ｅＮＢ２００−１が取得する干渉波情報は、逆特性干渉信号波形である。
【０１６６】
図１４に示すように、ステップＳ１３０１において、ｅＮＢ２００−２は、ＵＥ１００−１からチャネル情報２を取得する。或いは、ｅＮＢ２００−２は、チャネル情報２を自身で取得してもよい。
【０１６７】
ステップＳ１３０２において、ｅＮＢ２００−２は、自セルに接続するＵＥ１００−２に対するスケジューリング（或いは、プレスケジューリング）を行う。
【０１６８】
ステップＳ１３０３において、ｅＮＢ２００−２は、スケジューリングの結果に基づいて、送信データ２から送信信号波形（干渉波信号波形）を生成する。
【０１６９】
ステップＳ１３０４において、ｅＮＢ２００−２は、チャネル情報２に基づいて、干渉波信号波形の逆特性を逆特性干渉波形として生成し、逆特性干渉波形をサンプリングする。
【０１７０】
ステップＳ１３０５において、ｅＮＢ２００−２は、サンプリングした逆特性干渉波形をｅＮＢ２００−１に送信する。
【０１７１】
なお、上述した動作パターン２と同様に、リソース情報に基づいて波形通知を行ってもよい。具体的には、ステップＳ１３０２の前に、ｅＮＢ２００−１は、ＵＥ１００−１に対する割当リソースブロックを示すリソース情報をｅＮＢ２００−２に送信し、ｅＮＢ２００−２は、当該リソース情報に対応するリソースブロックについて送信信号波形を生成してサンプリングする。これにより、Ｘ２インターフェイス上を伝送する信号量を削減するとともに、ｅＮＢ２００−１が逆特性信号を単純に重畳するだけで良くなるという利点がある。
【０１７２】
ステップＳ１３０６において、ｅＮＢ２００−１は、自セルに接続するＵＥ１００−１に対するスケジューリングを行い、送信信号波形（希望波信号波形）を生成する。
【０１７３】
ステップＳ１３０７において、ｅＮＢ２００−１は、ｅＮＢ２００−２から受信した逆特性干渉波形により干渉レプリカ信号を生成する。そして、ｅＮＢ２００−１は、干渉レプリカ信号を希望波信号に重畳する。
【０１７４】
ステップＳ１３０８において、ｅＮＢ２００−２は、ＵＥ１００−２に対する送信を行う。ＵＥ１００−１は、ｅＮＢ２００−２からの信号を干渉波信号として受信する。一方、ｅＮＢ２００−１は、ＵＥ１００−１に対する重畳信号の送信を行う。ＵＥ１００−１は、重畳信号を受信する。ここで、重畳信号に含まれる干渉レプリカ信号により、干渉波信号がキャンセルされる。
【０１７５】
ステップＳ１３０９において、ＵＥ１００−１は、重畳信号に含まれる希望波信号を復調する。
【０１７６】
（４）動作パターン４
図１５は、本実施形態に係る動作パターン４のシーケンス図である。動作パターン４では、ｅＮＢ２００−１が取得する干渉波情報は、ＵＥ１００−２に対する送信データ（送信データ２）である。
【０１７７】
図１５に示すように、ステップＳ１４０１において、ｅＮＢ２００−１は、自セルに接続するＵＥ１００−１に対するスケジューリング（或いは、プレスケジューリング）を行う。
【０１７８】
ステップＳ１４０２において、ｅＮＢ２００−１は、スケジューリングの結果に基づいて、ＵＥ１００−１に対する送信データ（送信データ１）から送信信号波形（希望波信号波形）を生成する。
【０１７９】
ステップＳ１４０３において、ｅＮＢ２００−２は、送信データ２をｅＮＢ２００−１に送信する。
【０１８０】
なお、上述した動作パターン２と同様に、リソース情報に基づいてデータ通知を行ってもよい。具体的には、ステップＳ１３０３の前に、ｅＮＢ２００−１は、ＵＥ１００−１に対する割当リソースブロックを示すリソース情報をｅＮＢ２００−２に送信し、ｅＮＢ２００−２は、当該リソース情報に対応する送信データ２をｅＮＢ２００−２に送信する。これにより、Ｘ２インターフェイス上を伝送する信号量を削減できる。
【０１８１】
ステップＳ１４０４において、ｅＮＢ２００−２は、自セルに接続するＵＥ１００−２に対するスケジューリング（或いは、プレスケジューリング）を行う。
【０１８２】
ステップＳ１４０５において、ｅＮＢ２００−２は、スケジューリングの結果に基づいて、スケジューリング情報をｅＮＢ２００−１に送信する。スケジューリング情報は、送信データ２を送信信号（干渉波信号）に変換する際の送信処理の内容を示す送信処理情報に相当する。
【０１８３】
ステップＳ１４０６において、ｅＮＢ２００−１は、チャネル情報２を取得する。ｅＮＢ２００−１がチャネル情報２を取得する動作については、上述した動作パターン１と同様である。
【０１８４】
ステップＳ１４０７において、ｅＮＢ２００−２は、ｅＮＢ２００−２が送信する参照信号（ＣＲＳ）とデータ信号との間の振幅差又は位相差の少なくとも一方を示す差情報をｅＮＢ２００−１に送信する。ｅＮＢ２００−２は、リソースブロック毎の差情報をｅＮＢ２００−１に送信してもよい。
【０１８５】
なお、ｅＮＢ２００−２からｅＮＢ２００−１への差情報の送信は、本動作パターンに限らず、上述した動作パターン、及び後述する動作パターンに対しても適用可能である。また、上述した動作パターン２のように、ＵＥ１００−１に対する割当リソースブロックがｅＮＢ２００−１からｅＮＢ２００−２へ通知される場合には、ｅＮＢ２００−２は、当該割当リソースブロックについてのみ差情報をｅＮＢ２００−１に送信してもよい。
【０１８６】
ステップＳ１４０８において、ｅＮＢ２００−２は、スケジューリング（ステップＳ１４０４）の結果に基づいて、送信データ２から送信信号波形（干渉波信号波形）を生成する。
【０１８７】
ステップＳ１４０９において、ｅＮＢ２００−１は、ｅＮＢ２００−２から受信した送信データ２に対して、ｅＮＢ２００−２から受信したスケジューリング情報（送信処理情報）が示す送信処理を行い、干渉信号波形を生成する。
【０１８８】
ステップＳ１４１０において、ｅＮＢ２００−１は、チャネル情報２に基づいて、干渉信号波形の逆特性信号を干渉レプリカ信号として生成する。その際、ｅＮＢ２００−１は、ｅＮＢ２００−２から受信した差情報に基づいて干渉レプリカ信号の位相及び振幅を調整する。
【０１８９】
ステップＳ１４１１において、ｅＮＢ２００−１は、干渉レプリカ信号を希望波信号に重畳する。
【０１９０】
ステップＳ１４１２において、ｅＮＢ２００−２は、ＵＥ１００−２に対する送信を行う。ＵＥ１００−１は、ｅＮＢ２００−２からの信号を干渉波信号として受信する。一方、ｅＮＢ２００−１は、ＵＥ１００−１に対する重畳信号の送信を行う。ＵＥ１００−１は、重畳信号を受信する。ここで、重畳信号に含まれる干渉レプリカ信号により、干渉波信号がキャンセルされる。
【０１９１】
ステップＳ１４１３において、ＵＥ１００−１は、重畳信号に含まれる希望波信号を復調する。
【０１９２】
（５）動作パターン５
図１６は、本実施形態に係る動作パターン５のシーケンス図である。動作パターン５は、動作パターン４を一部変更したものである。
【０１９３】
図１６に示すように、ステップＳ１５０１において、ｅＮＢ２００−１は、自セルに接続するＵＥ１００−１に対するスケジューリング（或いは、プレスケジューリング）を行う。
【０１９４】
ステップＳ１５０２において、ｅＮＢ２００−１は、スケジューリングの結果に基づいて、ＵＥ１００−１に対する送信データ（送信データ１）から送信信号波形（希望波信号波形）を生成する。
【０１９５】
ステップＳ１５０３において、Ｓ−ＧＷ３００は、送信データ２をｅＮＢ２００−１及びｅＮＢ２００−２に送信する。本動作パターンにおいて、Ｓ−ＧＷ３００は管理装置に相当する。
【０１９６】
ステップＳ１５０４において、ｅＮＢ２００−２は、自セルに接続するＵＥ１００−２に対するスケジューリング（或いは、プレスケジューリング）を行う。
【０１９７】
ステップＳ１５０５において、ｅＮＢ２００−２は、スケジューリングの結果に基づいて、スケジューリング情報をｅＮＢ２００−１に送信する。スケジューリング情報は、送信データ２を送信信号（干渉波信号）に変換する際の送信処理の内容を示す送信処理情報に相当する。
【０１９８】
ステップＳ１５０６において、ｅＮＢ２００−１は、チャネル情報２を取得する。ｅＮＢ２００−１がチャネル情報２を取得する動作については、上述した動作パターン１と同様である。
【０１９９】
ステップＳ１５０７において、ｅＮＢ２００−２は、スケジューリング（ステップＳ１５０４）の結果に基づいて、送信データ２から送信信号波形（干渉波信号波形）を生成する。
【０２００】
ステップＳ１５０８において、ｅＮＢ２００−１は、ｅＮＢ２００−２から受信した送信データ２に対して、ｅＮＢ２００−２から受信したスケジューリング情報（送信処理情報）が示す送信処理を行い、干渉信号波形を生成する。
【０２０１】
ステップＳ１５０９において、ｅＮＢ２００−１は、チャネル情報２に基づいて、干渉信号波形の逆特性信号を干渉レプリカ信号として生成する。
【０２０２】
ステップＳ１５１０において、ｅＮＢ２００−１は、干渉レプリカ信号を希望波信号に重畳する。
【０２０３】
ステップＳ１５１１において、ｅＮＢ２００−２は、ＵＥ１００−２に対する送信を行う。ＵＥ１００−１は、ｅＮＢ２００−２からの信号を干渉波信号として受信する。一方、ｅＮＢ２００−１は、ＵＥ１００−１に対する重畳信号の送信を行う。ＵＥ１００−１は、重畳信号を受信する。ここで、重畳信号に含まれる干渉レプリカ信号により、干渉波信号がキャンセルされる。
【０２０４】
ステップＳ１５１２において、ＵＥ１００−１は、重畳信号に含まれる希望波信号を復調する。
【０２０５】
（６）動作パターン６
図１７は、本実施形態に係る動作パターン６のシーケンス図である。動作パターン６は、干渉レプリカ信号の振幅を適切に調整するための動作パターンである。動作パターン６は、上述した動作パターン１乃至５の何れかと組み合わせて実施される。
【０２０６】
図１７に示すように、ステップＳ１６０１において、ｅＮＢ２００−１は、参照信号（ＣＲＳ）を送信する。ＵＥ１００−１は、ＣＲＳを受信する。
【０２０７】
ステップＳ１６０２において、ＵＥ１００−１は、ｅＮＢ２００−１から受信したＣＲＳの受信電力（ＲＳＲＰ１）を測定する。
【０２０８】
ステップＳ１６０３において、ＵＥ１００−１は、ＲＳＲＰ１をｅＮＢ２００−１に送信する。
【０２０９】
ステップＳ１６０４において、ｅＮＢ２００−１は、ＣＲＳの送信電力からＲＳＲＰ１を減算することにより、ＵＥ１００−１とｅＮＢ２００−１との間の伝搬損失（伝搬損失１）を算出する。
【０２１０】
ステップＳ１６０５において、ｅＮＢ２００−１は、伝搬損失１に基づいて、希望波信号の振幅を調整する。
【０２１１】
ステップＳ１６０６において、ｅＮＢ２００−２は、ＣＲＳを送信する。ＵＥ１００−１は、ＣＲＳを受信する。
【０２１２】
ステップＳ１６０７において、ＵＥ１００−１は、ｅＮＢ２００−２から受信したＣＲＳの受信電力（ＲＳＲＰ２）を測定する。
【０２１３】
ステップＳ１６０８において、ＵＥ１００−１は、ＲＳＲＰ２をｅＮＢ２００−２に送信する。
【０２１４】
ステップＳ１６０９において、ｅＮＢ２００−２は、ＵＥ１００−１から受信したＲＳＲＰ２をｅＮＢ２００−１に転送する。ここで、ｅＮＢ２００−２は、ｅＮＢ２００−１からの事前の要求に応じてＲＳＲＰ２をｅＮＢ２００−１に転送してもよい。
【０２１５】
なお、ＵＥ１００−１は、ＲＳＲＰ２をｅＮＢ２００−２に送信するのではなく、ＲＳＲＰ２をｅＮＢ２００−１に直接的に送信してもよい。
【０２１６】
ステップＳ１６１０において、ｅＮＢ２００−１は、ＣＲＳの送信電力からＲＳＲＰ２を減算することにより、ＵＥ１００−１とｅＮＢ２００−２との間の伝搬損失（伝搬損失２）を算出する。
【０２１７】
ステップＳ１６１１において、ｅＮＢ２００−１は、伝搬損失２に基づいて、干渉レプリカ信号の振幅を調整する。
【０２１８】
なお、ｅＮＢ２００−１及び／又はｅＮＢ２００−２がＣＲＳ以外の参照信号（具体的には、ＣＳＩ−ＲＳ）を送信する場合、ＵＥ１００−１は、ＣＳＩ−ＲＳの受信電力も測定し、ＣＳＩ−ＲＳの受信電力をｅＮＢ２００−１又はｅＮＢ２００−２に送信してもよい。この場合、受信電力の種別（ＣＲＳであるか、ＣＳＩ−ＲＳであるか）を示す情報を付加してもよい。
【０２１９】
（７）動作パターン７
図１８は、本実施形態に係る動作パターン７のシーケンス図である。動作パターン７は、干渉レプリカ信号の振幅を適切に調整するための動作パターンである。動作パターン７は、上述した動作パターン１乃至５の何れかと組み合わせて実施される。
【０２２０】
図１８に示すように、ステップＳ１７０１において、ｅＮＢ２００−１は、隣接セル（ｅＮＢ２００−２が管理するセル）の識別子（セルＩＤ）をＵＥ１００−１に送信する。
【０２２１】
ステップＳ１７０２において、ＵＥ１００−１は、ｅＮＢ２００−１から受信したセルＩＤに基づいて、ｅＮＢ２００−２が送信するシステム情報（ＳＩＢ；Ｓｙｓｔｅｍ  Ｉｎｆｏｒｍａｔｉｏｎ  Ｂｌｏｃｋ）を受信する。本動作パターンでは、ＳＩＢは、ｅＮＢ２００−２が送信する参照信号とデータ信号との間の電力差（送信電力差）を示す電力差情報を含む。
【０２２２】
ステップＳ１７０３において、ＵＥ１００−１は、ＳＩＢを復調し、ＳＩＢに含まれる電力差情報を取得する。
【０２２３】
ステップＳ１７０４において、ＵＥ１００−１は、電力差情報をｅＮＢ２００−１に送信する。
【０２２４】
ステップＳ１７０５において、ｅＮＢ２００−１は、ＵＥ１００−１から受信した電力差情報に基づいて、干渉レプリカ信号の振幅を調整する。
【０２２５】
なお、本動作パターンでは、電力差情報は、ｅＮＢ２００−２からＵＥ１００−１を経由してｅＮＢ２００−１に送信されていたが、ｅＮＢ２００−２からｅＮＢ２００−１に直接的に送信されてもよい。この場合、ｅＮＢ２００−２は、ｅＮＢ２００−１からの要求に応じて電力差情報をｅＮＢ２００−１に送信してもよい。
【０２２６】
（８）動作パターン８
図１９は、本実施形態に係る動作パターン８のシーケンス図である。動作パターン８は、干渉レプリカ信号の送信タイミング（重畳タイミング）を適切に調整するための動作パターンである。動作パターン８は、上述した動作パターン１乃至５の何れかと組み合わせて実施される。
【０２２７】
図１９に示すように、ステップＳ１８０１において、ｅＮＢ２００−１は、参照信号（ＣＲＳ）を送信する。ｅＮＢ２００−１が送信したＣＲＳは、伝搬遅延τｓ後において、ＵＥ１００−１で受信される。
【０２２８】
ステップＳ１８０２において、ｅＮＢ２００−２は、ｅＮＢ２００−１がＣＲＳを送信するのと同時に、ＣＲＳを送信する。ｅＮＢ２００−２が送信したＣＲＳは、伝搬遅延τｎ後において、ＵＥ１００−１で受信される。
【０２２９】
ステップＳ１８０３において、ＵＥ１００−１は、ｅＮＢ２００−１からのＣＲＳの受信タイミングと、ｅＮＢ２００−２からのＣＲＳの受信タイミングと、の差を時間差情報として生成する。すなわち、時間差情報は、ｅＮＢ２００−１からＵＥ１００−１までの遅延時間τｓと、ｅＮＢ２００−２からＵＥ１００−１までの遅延時間τｎと、の間の遅延時間差を示す情報である。
【０２３０】
ステップＳ１８０４において、ＵＥ１００−１は、時間差情報をｅＮＢ２００−１に送信する。ｅＮＢ２００−１は、ＵＥ１００−１から受信した時間差情報に基づいて、干渉レプリカ信号の送信タイミング（重畳タイミング）を調整する。
【０２３１】
なお、本動作パターンでは、ｅＮＢ２００−１及びｅＮＢ２００−２がＣＲＳを同時に送信しているが、ＣＲＳの送信タイミングが異なる場合には、送信タイミング差の情報をｅＮＢ２００−１及びｅＮＢ２００−２で共有し、ＵＥ１００−１から受信した時間差情報を補正すればよい。或いは、ＵＥ１００−１側で送信タイミング差の情報（サブフレーム番号の差、シンボル番号の差など）が分かる場合は、ＵＥ１００−１にて補正して遅延時間差を報告してもよい。
【０２３２】
また、本動作パターンでは、参照信号としてＣＲＳを使用しているが、ＣＲＳに代えてＣＳＩ−ＲＳを使用してもよい。さらに、ＵＥ１００−１は、ｅＮＢ２００−１からのＣＲＳの受信電力と、ｅＮＢ２００−２からのＣＲＳの受信電力と、の差を示す情報を時間差情報と共に送信してもよい。
【０２３３】
［第２実施形態］
以下、第２実施形態について、上述した第１実施形態との相違点を主として説明する。
【０２３４】
第１実施形態では、協調型干渉キャンセル方式は、通信のセキュリティを高める点においても有効であることを説明した。
【０２３５】
第２実施形態は、通信のセキュリティをさらに高めるための実施形態である。図２０は、第２実施形態に係る動作を説明するための図である。
【０２３６】
図２０に示すように、第２実施形態に係る動作環境は、第１実施形態と同様である。ここで、ＵＥ１００−３は、ｅＮＢ２００−１のセルに接続している。
【０２３７】
まず、ｅＮＢ２００−１は、協調型干渉キャンセル方式の対象となるＵＥ１００−１の位置に関する位置情報をｅＮＢ２００−２に通知する。位置情報は、ＵＥ１００−１から取得されるＧＮＳＳ情報であってもよく、ＵＥ１００−１のサービングセルの識別子（セルＩＤ）であってもよい。或いは、位置管理装置（Ｅ−ＳＭＬＣ； Ｅｖｏｌｖｅｄ  Ｓｅｒｖｉｎｇ  Ｍｏｂｉｌｅ  Ｌｏｃａｔｉｏｎ  Ｃｅｎｔｒｅ）から取得される位置情報であってもよい。
【０２３８】
次に、ｅＮＢ２００−２は、ＵＥ１００−１の位置情報に基づいて、ＵＥ１００−１の位置における干渉波信号の受信電力を上昇させる。例えば、ｅＮＢ２００−２は、ビームフォーミングにより、ＵＥ１００−１の位置の方向、又はＵＥ１００−１のサービングセルの方向に送信ビームを向ける。或いは、ｅＮＢ２００−２は、ＵＥ１００−１に最も近いセルにおける送信電力を上昇させてもよい。
【０２３９】
上述したように、干渉レプリカ信号は、ＵＥ１００−１が受信する干渉波信号の振幅と等しくなるように生成されるため、ｅＮＢ２００−１は、干渉波信号の受信電力の上昇に応じて、干渉レプリカ信号の送信電力を上昇させる。
【０２４０】
これにより、ＵＥ１００−１の位置において干渉レプリカ信号は干渉波信号により相殺されるものの、ＵＥ１００−１の位置以外の位置（例えばＵＥ１００−３の位置）において干渉レプリカ信号は残存する。ここで、干渉レプリカ信号の電力が大きいほど、希望波信号を復調することが難しくなる。よって、ＵＥ１００−３は、ＵＥ１００−１への希望波信号を傍受しようとしても、当該希望波信号を復調できないため、当該希望波信号を傍受できない。
【０２４１】
なお、本実施形態では、ｅＮＢ２００−２は、ＵＥ１００−１に対して送信ビームを向けていたが、ＵＥ１００−１への希望波信号を傍受しようとするＵＥ１００−３の位置が特定できれば、ＵＥ１００−３にも送信ビームを向けてもよい。
【０２４２】
［第３実施形態］
以下、第３実施形態について、上述した第１実施形態との相違点を主として説明する。
【０２４３】
協調型干渉キャンセル方式は、干渉レプリカ信号の位相調整及び振幅調整に高い精度が要求されるため、通常の通信に比べて誤り率が上昇する可能性もある。誤り率が上昇すると、再送の頻度も増加するため、高いＱｏＳ（例えば、低遅延など）が要求される場合には、当該ＱｏＳを満たすことができない可能性がある。
【０２４４】
そこで、実施形態では、ｅＮＢ２００−１は、ＵＥ１００−１の通信に要求されるＱｏＳに基づいて、干渉レプリカ信号を希望波信号に重畳する重畳送信を行うか否か（協調型干渉キャンセル方式を適用するか否か）を判定する。
【０２４５】
図２１は、本実施形態に係る動作シーケンス図である。
【０２４６】
図２１に示すように、ステップＳ３１０１において、ｅＮＢ２００−１は、ＵＥ１００−１が必要とするＱｏＳを確認する。ここで、ＵＥ１００−１が必要とするＱｏＳは、ベアラの種別により判別できる。
【０２４７】
ステップＳ３１０２において、ｅＮＢ２００−１は、ＵＥ１００−１が必要とするＱｏＳに基づいて、協調型干渉キャンセル方式を適用するか否かを判定する。ＱｏＳが閾値よりも高い場合、ｅＮＢ２００−１は、協調型干渉キャンセル方式（秘匿通信）を適用しないと判定する。これに対し、ＱｏＳが閾値以下である場合、ｅＮＢ２００−１は、協調型干渉キャンセル方式（秘匿通信）を適用すると判定する。ここでは、協調型干渉キャンセル方式（秘匿通信）を適用すると判定されたと仮定して、説明を進める。
【０２４８】
ステップＳ３１０３において、ｅＮＢ２００−１は、協調型干渉キャンセル方式（秘匿通信）を適用する旨の要求をｅＮＢ２００−２に送信する。
【０２４９】
ステップＳ３１０４において、ｅＮＢ２００−２は、ｅＮＢ２００−１からの要求に応じて、干渉波情報をｅＮＢ２００−１に送信する。
【０２５０】
ステップＳ３１０５において、ｅＮＢ２００−１は、第１実施形態と同様の方法でチャネル情報２を取得する。
【０２５１】
ステップＳ３１０６において、ｅＮＢ２００−２は、自セルに接続するＵＥに対する送信を行う。ＵＥ１００−１及びＵＥ１００−３は、ｅＮＢ２００−２からの信号を干渉波信号として受信する。一方、ｅＮＢ２００−１は、ＵＥ１００−１に対する重畳信号の送信を行う。ＵＥ１００−１は、重畳信号を受信する。
【０２５２】
ここで、ＵＥ１００−１においては、重畳信号に含まれる干渉レプリカ信号により、干渉波信号がキャンセルされる。よって、受信ＳＩＲが所要ＳＩＲを満たし、希望波信号を復調できる。一方、ＵＥ１００−３においては、重畳信号に含まれる干渉レプリカ信号がキャンセルされない。よって、受信ＳＩＲが所要ＳＩＲを満たさないため、希望波信号を復調できない。
【０２５３】
［第１実施形態乃至第３実施形態の変更例］
上述した第３実施形態では、ｅＮＢ２００−１は、ＵＥ１００−１が必要とするＱｏＳに基づいて協調型干渉キャンセル方式（秘匿通信）を適用するか否かを判定していた。しかしながら、ｅＮＢ２００−１は、ＵＥ１００−１の通信に要求されるセキュリティレベル（要求セキュリティレベル）に基づいて協調型干渉キャンセル方式（秘匿通信）を適用するか否かを判定してもよい。要求セキュリティレベルは、ＵＥ１００−１からの通知、又はＵＥ１００−１が実行するアプリケーションの種別に基づいて判別できる。要求セキュリティレベルが閾値よりも高い場合、ｅＮＢ２００−１は、協調型干渉キャンセル方式（秘匿通信）を適用すると判定する。これに対し、要求セキュリティレベルが閾値以下である場合、ｅＮＢ２００−１は、協調型干渉キャンセル方式（秘匿通信）を適用しないと判定する。
【０２５４】
上述した第１実施形態乃至第３実施形態では、サービングセル及び隣接セルが異なるｅＮＢ（ｅＮＢ２００−１、ｅＮＢ２００−２）によって管理されていたが、サービングセル及び隣接セルは、同一のｅＮＢ（ｅＮＢ２００−１）によって管理されていてもよい。
【０２５５】
上述した第１実施形態乃至第３実施形態では、本発明をＬＴＥシステムに適用する一例を説明したが、ＬＴＥシステムに限定されるものではなく、ＬＴＥシステム以外のシステムに本発明を適用してもよい。例えば、ＣＤＭＡ（Ｃｏｄｅ  Ｄｉｖｉｓｉｏｎ  Ｍｕｌｔｉｐｌｅ  Ａｃｃｅｓｓ）又はＩＤＭＡ（Ｉｎｔｅｒｌｅａｖｅ  Ｄｉｖｉｓｉｏｎ  Ｍｕｌｔｉｐｌｅ  Ａｃｃｅｓｓ）等の方式を採用するシステムに本発明を適用してもよい。
【０２５６】
［第４実施形態］
以下、第４実施形態について、上述した第１実施形態との相違点について説明する。
【０２５７】
第１実施形態では、主に干渉レプリカ信号を用いた干渉キャンセルに関して説明し、ＵＥ１００−１における希望波信号の復調に関して特に触れていなかったが、第４実施形態では、ＵＥ１００−１における希望波信号の復調に関して説明する。
【０２５８】
協調型干渉キャンセル方式においては、干渉レプリカ信号を希望波信号に重畳することにより、希望波信号の送信電力が参照信号（ＣＲＳ又はＣＳＩ−ＲＳ）の送信電力よりも低くなるため、ＵＥ１００−１が希望波信号を復調することが難しい。
【０２５９】
例えば、希望波信号にＱＡＭ変調が適用される場合において、ＵＥ１００−１は、受信した参照信号の振幅を基準として、受信した希望波信号の振幅を判別する。よって、希望波信号の送信電力が参照信号の送信電力よりも低くなると、ＵＥ１００−１は、受信した希望波信号の振幅を正常に判別できない。
【０２６０】
そこで、本実施形態では、ｅＮＢ２００−１は、協調型干渉キャンセル方式を適用している場合において、希望波信号と参照信号との間の送信電力差に関する電力差情報をＵＥ１００−１に通知する。
【０２６１】
電力差情報は、送信電力差を示す値である。或いは、電力差情報は、送信電力差が存在することを示すフラグである。電力差情報がフラグである場合、どの程度の送信電力差であるかの情報（例えば、最悪の場合を想定した３ｄＢなど）を予めｅＮＢ２００−１及びＵＥ１００−１で共有している必要がある。
【０２６２】
また、ＵＥ１００−１は、希望波信号と参照信号との間の送信電力差に関する電力差情報をサービングセルから受信した場合に、電力差情報に基づいて希望波信号の復調を制御する。例えば、ＵＥ１００−１は、受信した希望波信号の振幅を電力差情報に応じて補正した上で復調を行う。
【０２６３】
従って、本実施形態によれば、協調型干渉キャンセル方式において、干渉レプリカ信号を希望波信号に重畳することにより、希望波信号の送信電力が参照信号よりも低くなる場合であっても、希望波信号を容易に復調できる。
【０２６４】
図２２は、本実施形態に係る動作シーケンス図である。
【０２６５】
図２２に示すように、ステップＳ４１０１において、ｅＮＢ２００−１は、自セルに接続するＵＥ１００−１に対するスケジューリングを行う。
【０２６６】
ステップＳ４１０２において、ｅＮＢ２００−１は、スケジューリングの結果に基づいて、送信データ１から送信信号（希望波信号）を生成する。ここで、希望波信号は、例えば物理下りリンク共有チャネル（ＰＤＳＣＨ）上で送信される。ただし、干渉キャンセルが適用されるチャネルであれば、ＰＤＳＣＨ以外のチャネルであってもよい。
【０２６７】
ステップＳ４１０３において、ｅＮＢ２００−１は、ＣＲＳを送信する。ここで、ＣＲＳは、予め定められた振幅（電力）で送信されることに留意すべきである。
【０２６８】
ステップＳ４１０４において、ｅＮＢ２００−１は、ＣＲＳの送信電力ＰＣＲＳと、ＰＤＳＣＨの送信電力ＰＰＤＳＣＨと、の間に電力差があるか否かを判定する。
【０２６９】
ステップＳ４１０４の判定結果が「ＹＥＳ」である場合、ステップＳ４１０５において、ｅＮＢ２００−１は、電力差情報をＵＥ１００−１に通知する。図２２の例では、電力差情報は、ＰＣＲＳとＰＰＤＳＣＨとの差（ＰＣＲＳ−ＰＰＤＳＣＨ）を示す値、又はフラグである。その後、ステップＳ３１０６に処理が進む。
【０２７０】
ステップＳ４１０６において、ｅＮＢ２００−１は、干渉レプリカ信号が重畳された希望波信号（重畳信号）をＰＤＳＣＨ上でＵＥ１００−１に送信する。
【０２７１】
［第４実施形態の変更例］
上述した第４実施形態では、サービングセル及び隣接セルが異なるｅＮＢ（ｅＮＢ２００−１、ｅＮＢ２００−２）によって管理されていたが、サービングセル及び隣接セルは、同一のｅＮＢ（ｅＮＢ２００−１）によって管理されていてもよい。
【０２７２】
上述した第４実施形態では、本発明をＬＴＥシステムに適用する一例を説明したが、ＬＴＥシステムに限定されるものではなく、ＬＴＥシステム以外のシステムに本発明を適用してもよい。例えば、ＣＤＭＡ又はＩＤＭＡ等の方式を採用するシステムに本発明を適用してもよい。
【０２７３】
［第５実施形態］
以下、第５実施形態について、上述した第１実施形態との相違点を主として説明する。
【０２７４】
第１実施形態では、ｅＮＢ２００−１が送信する干渉レプリカ信号を用いて、ｅＮＢ２００−２が送信する干渉波信号をキャンセルすることについて説明した。
【０２７５】
第５実施形態は、第１実施形態で説明した協調型干渉キャンセル方式を応用した実施形態である。図２３は、本実施形態に係る動作を説明するための図である。
【０２７６】
図２３に示すように、本実施形態に係る動作環境は、第１実施形態と同様である。また、本実施形態においても、上述した協調型干渉キャンセル方式が適用される。
【０２７７】
さらに、本実施形態では、ｅＮＢ２００−２は、希望波信号に対応する希望波レプリカ信号を生成し、希望波レプリカ信号を干渉波信号に重畳する。ここで、ｅＮＢ２００−１は、ＵＥ１００−１が受信する希望波レプリカ信号が、ＵＥ１００−１が受信する希望波信号と合成されるように、希望波レプリカ信号を生成する。そして、ｅＮＢ２００−２は、希望波レプリカ信号が重畳された干渉波信号を送信する。このような方式によれば、ＵＥ１００−１における希望波信号の受信電力を上昇させることができるため、ＳＩＲを改善できる。
【０２７８】
一方で、ＵＥ１００−２は、ｅＮＢ２００−２からの信号を希望波信号として受信しているため、希望波レプリカ信号の送信電力が高い場合には、ＵＥ１００−２の所要受信品質（所要ＣＮなど）を満たすことができない。よって、ｅＮＢ２００−２は、ｅＮＢ２００−２の所要受信品質が満たされるように、希望波レプリカ信号の送信電力を、干渉波信号の送信電力よりも低く設定する。
【０２７９】
ｅＮＢ２００−２において希望波レプリカ信号を生成するための手順は、ｅＮＢ２００−１において干渉レプリカ信号を生成する処理と同様の手順である。例えば、第１実施形態におけるレプリカ生成処理において、干渉波情報を希望波情報と読み替え、チャネル情報２をチャネル情報１と読み替えて、希望波レプリカ信号の生成に適用すればよい。
【０２８０】
ただし、干渉レプリカ信号は、干渉波信号と逆位相で受信されるように生成されるが、希望波レプリカ信号は、干渉波信号と同位相で受信されるように生成される点で異なる。また、干渉レプリカ信号は、干渉波信号と同じ振幅で受信されるように生成されるが、希望波レプリカ信号は、十分に低減された振幅（電力）で受信されるように生成される点で異なる。
【０２８１】
図２４は、本実施形態に係る動作シーケンス図である。
【０２８２】
図２４に示すように、ステップＳ５１０１において、ｅＮＢ２００−２は、干渉波信号に対応する干渉波情報をｅＮＢ２００−１に送信する。ｅＮＢ２００−１は、第１実施形態と同様にして干渉レプリカ信号を生成する。
【０２８３】
ステップＳ５１０２において、ｅＮＢ２００−１は、希望波信号に対応する希望波情報をｅＮＢ２００−２に送信する。ｅＮＢ２００−２は、希望波情報及びチャネル情報１などに基づいて、希望波レプリカ信号を生成する。
【０２８４】
ステップＳ５１０３において、ｅＮＢ２００−１は、干渉レプリカ信号が重畳された希望波信号（重畳信号１）をＵＥ１００−１に送信する。ここでは、ｅＮＢ２００−１は、送信電力の１／２を希望波信号に振り分け、送信電力の１／２を干渉レプリカ信号に振り分けている。
【０２８５】
また、ステップＳ５１０３において、ｅＮＢ２００−２は、希望波レプリカ信号が重畳された干渉波信号（重畳信号２）をＵＥ１００−２に送信する。ここでは、ｅＮＢ２００−２は、送信電力の７／８を干渉波信号に振り分け、送信電力の１／８を希望波レプリカ信号に振り分けている。
【０２８６】
ステップＳ５１０４ａにおいて、ＵＥ１００−１は、重畳信号１及び２を受信する。その結果、干渉波信号がキャンセルされるとともに、希望波信号の受信電力が上昇する。そして、ステップＳ５１０５ａにおいて、ＵＥ１００−１は、希望波信号を復調できる。
【０２８７】
一方、ステップＳ５１０４ｂにおいて、ＵＥ１００−２は、重畳信号２を受信する。ここで、重畳信号２に含まれる干渉波信号（ＵＥ１００−２の希望波信号）は所要受信品質が満たされるため、ステップＳ５１０５ｂにおいて、ＵＥ１００−２は、干渉波信号（ＵＥ１００−２の希望波信号）を復調できる。
【０２８８】
［第５実施形態の変更例］
上述した第５実施形態では、サービングセル及び隣接セルが異なるｅＮＢ（ｅＮＢ２００−１、ｅＮＢ２００−２）によって管理されていたが、サービングセル及び隣接セルは、同一のｅＮＢ（ｅＮＢ２００−１）によって管理されていてもよい。
【０２８９】
上述した第５実施形態では、本発明をＬＴＥシステムに適用する一例を説明したが、ＬＴＥシステムに限定されるものではなく、ＬＴＥシステム以外のシステムに本発明を適用してもよい。例えば、ＣＤＭＡ又はＩＤＭＡ等の方式を採用するシステムに本発明を適用してもよい。
【０２９０】
［相互参照］
米国仮出願第６１／７４０９８９号（２０１２年１２月２１日出願）の全内容、米国仮出願第６１／７４５０１６号（２０１２年１２月２１日出願）の全内容、米国仮出願第６１／７４５０４３号（２０１２年１２月２１日出願）の全内容が、参照により、本願明細書に組み込まれている。
【産業上の利用可能性】
【０２９１】
本発明は、移動通信分野において有用である。
【図１】
2014097766.tif 000003
【図２】
2014097766.tif 000004
【図３】
2014097766.tif 000005
【図４】
2014097766.tif 000006
【図５】
2014097766.tif 000007
【図６】
2014097766.tif 000008
【図７】
2014097766.tif 000009
【図８】
2014097766.tif 000010
【図９】
2014097766.tif 000011
【図１０】
2014097766.tif 000012
【図１１】
2014097766.tif 000013
【図１２】
2014097766.tif 000014
【図１３】
2014097766.tif 000015
【図１４】
2014097766.tif 000016
【図１５】
2014097766.tif 000017
【図１６】
2014097766.tif 000018
【図１７】
2014097766.tif 000019
【図１８】
2014097766.tif 000020
【図１９】
2014097766.tif 000021
【図２０】
2014097766.tif 000022
【図２１】
2014097766.tif 000023
【図２２】
2014097766.tif 000024
【図２３】
2014097766.tif 000025
【図２４】
2014097766.tif 000026
【国際調査報告】
2014097766.tif 000027
2014097766.tif 000028
2014097766.tif 000029
2014097766.tif 000030